(57)【要約】【課題】ドハティ増幅器において、効率を確保しつつ、線形性を改善すること。【解決手段】ドハティ増幅部１３０に並列に非線形増幅部１４０が設けられて、インピーダンス変換器１５０を経由したドハティ増幅部１３０の出力信号と、非線形増幅部１４０の出力信号とが合成器１６０によって合成され、合成後の出力信号が出力端子１７０から出力される。このとき、非線形増幅部１４０は、ドハティ増幅部１３０が非線形動作する領域で、その非線形性を補充して線形性を保つように増幅動作するようにしたので、ドハティ増幅器１００は、広い領域にわたり線形増幅することができるようになる。【選択図】図１
2007282122.tif 000002
【特許請求の範囲】
【請求項１】
ドハティ増幅部と、
非線形増幅部と、
入力無線信号を前記ドハティ増幅部と前記非線形増幅部とに分配する分配器と、
前記ドハティ増幅部の出力信号と非線形増幅部の出力信号を合成する合成器と、
を具備するドハティ増幅器。
【請求項２】
前記非線形増幅部は、前記ドハティ増幅部に設けられたピーク増幅器の特性を補償する特性とされている
請求項１に記載のドハティ増幅器。
【請求項３】
前記非線形増幅部は、前記合成器から出力される合成後の無線信号が線形増幅特性となるよう、前記ドハティ増幅部に設けられたピーク増幅器の特性を補償する
請求項２に記載のドハティ増幅器。
【請求項４】
前記分配器と前記非線形増幅部との間に設けられた位相調整器を具備する
請求項１に記載のドハティ増幅器。
【請求項５】
前記分配器と前記非線形増幅部との間に設けられた振幅調整器を具備する
請求項１に記載のドハティ増幅器。
【請求項６】
前記分配器と前記合成器との間に設けられたインピーダンス変換器を具備する
請求項１に記載のドハティ増幅器。
【発明の詳細な説明】
【技術分野】
【０００１】
本発明は、ドハティ増幅器に関する。
【背景技術】
【０００２】
近年、無線通信技術の需要が拡大してきており、音声通信に加え、高速データ通信が要求されてきている。高速データ通信を実現し、かつ、周波数利用効率の観点から、無線ＬＡＮ（Local Area Network）や地上波ディジタル放送では、互いに直交する複数のキャリアを用いる直交周波数多重変調方式（ＯＦＤＭ：Orthogonal Frequency Division Multiplexing）がすでに採用されている。
【０００３】
ところで、ＯＦＤＭ変調では、多数のキャリアを用いるために信号波形のピーク電力対平均電力比が高く、このような信号を増幅させるには、増幅器の実動作時の平均電力と飽和電力との差として与えられるバックオフを十分大きな状態で動作させる必要がある。しかしながら、増幅器の効率は、バックオフが大きな状態になるほど、一般的に効率が大幅に低下するという問題がある。
【０００４】
このような問題を解決し、ＯＦＤＭ変調信号のようにピーク電力対平均電力比が高い信号を増幅する技術として、ドハティ増幅器が知られている。ドハティ増幅器は、１９３６年にW.H.Doherty氏によって最初に考案されたもので、非特許文献１および特許文献１に開示されている。
【０００５】
以下、ドハティ増幅器について図面を参照しながら説明する。図３は、ドハティ増幅器の要部構成を示すブロック図である。図３に示すドハティ増幅器１０は、キャリア増幅器１３とピーク増幅器１６の２つの増幅器を備えている。
【０００６】
キャリア増幅器１３は、Ａ級、ＡＢ級、あるいは、Ｂ級にバイアスされた増幅器で、ピーク増幅器１６は、Ｂ級よりも電流を絞った状態、すなわち、Ｃ級にバイアスされた増幅器である。
【０００７】
入力端子１１から入力された無線信号は、分配器１２によって２系統に分割された後、一方はキャリア増幅器１３へ出力され、他方は１／４波長ネットワーク１５へ出力されて位相差が付けられた後、ピーク増幅器１６へ出力される。
【０００８】
キャリア増幅器１３の出力側には１／４波長ネットワーク１４が接続されていて、１／４波長ネットワーク１４経由後の無線信号は、合成器１７によって、ピーク増幅器１６から出力される無線信号と合成されて出力端子１８へ出力される。なお、出力端子１８には負荷が接続されている。
【０００９】
この時、キャリア増幅器１３は、無線信号の電力レベルが小さくても、電力レベルに係わらず無線信号の電力を増幅する。一方、ピーク増幅器１６は、Ｃ級にバイアスされているため、無線信号の電力レベルが小さく所定の閾値未満の場合には、オフ状態となって、増幅動作を行わない。この場合には、ピーク増幅器１６で消費される電力が小さいため、ドハティ増幅器１０全体としての効率が高くなる。
【００１０】
一方、無線信号の電力レベルが所定の閾値以上の場合には、ピーク増幅器１６がオン状態となり、無線信号の電力レベルがキャリア増幅器１３とピーク増幅器１６の双方で増幅される。そして、合成器１７によって、キャリア増幅器１３の出力電力とピーク増幅器１６の出力電力とが合成されることにより、大きな飽和電力を得ることができる。
【００１１】
１／４波長ネットワーク１４は、キャリア増幅器１３の出力側に接続されて、無線信号の電力レベルに応じて、キャリア増幅器１３の実効インピーダンスを変化させて、高効率化を実現する役割を担っている。無線信号の電力レベルが小さい場合には、ピーク増幅器１６がオフ状態となるため、ピーク増幅器１６の出力インピーダンスは理想的には開放状態となる。この場合に、効率が良好となるようにキャリア増幅器１３を設計することで、キャリア増幅器１３を最大の効率で動作させることができる。
【００１２】
一方、無線信号の電力レベルが大きい場合には、キャリア増幅器１３およびピーク増幅器１６との双方が動作して、無線信号の電力レベルが増幅される。キャリア増幅器１３とピーク増幅器１６は並列に接続されているので、１／４波長ネットワーク１４により、電力レベルが所定の閾値以上の場合、キャリア増幅器１３の出力端での実効インピーダンスが減少する。すなわち、１／４波長ネットワーク１４により、キャリア増幅器１３の出力端での実効インピーダンスを減少させて、キャリア増幅器１３にかかる電圧を一定に維持することができようになって、キャリア増幅器１３を最大効率で動作することができる。
【００１３】
このようにして、１／４波長ネットワーク１４をキャリア増幅器１３の出力側に接続することにより、キャリア増幅器１３を最大効率で動作させながら、かつ、ピーク増幅器１６が動作するようになるので、全体として大きな飽和電力を得ることができ、高い効率を維持できることになる。
【００１４】
上記のようにキャリア増幅器１３とピーク増幅器１６とを備えたドハティ増幅器１０の入出力特性を図４に示す。さらに、図４〜図７に、ピーク増幅器の動作領域を変えた場合の入出力特性と効率との関係を示す。なお、図４および図６において、Ｓ１はキャリア増幅器１３の入出力特性を、Ｓ２はピーク増幅器１６の入出力特性を、Ｓ３は合成後の入出力特性を示している。図４に示すようにピーク増幅器１６の動作領域ΔＰを広くした場合には、広い範囲で高効率を維持することができるが、図５に示すように入出力特性の線形性が劣化するという課題が生じる。一方、図６に示すようにピーク増幅器１６の動作領域ΔＰを狭くした場合には、線形性は得られるが、図７に示すように効率は劣化するという問題がある。なお、効率は、出力電力と入力電力との差と、消費電力との比をいう。
【００１５】
この課題を解決するために、特許文献２には、ドハティ増幅器の前段に歪補償回路を挿入する方法が開示されている。図８は、歪補償回路をドハティ増幅器の前段に挿入した場合の入出力特性を示す図である。同図において、Ｓ４はドハティ増幅器の入出力特性を示し、Ｓ５は歪補償回路の入出力特性を示し、Ｓ６は歪み補償回路およびドハティ増幅器を経由した場合の入出力特性を示している。図８に示すように、ドハティ増幅器の歪み（Ｓ４）の逆特性（Ｓ５）を有する歪補償回路をドハティ増幅器の前段に挿入することにより、入出力特性の線形性（Ｓ６）が得られるようになる。  
【非特許文献１】“A New High Efficiency Power Amplifier For Modulared Waves”,Proceedings of the Institude of Radio Engineers,Vol.24,No.9,September 1936.
【特許文献１】米国特許第２２１００２８号明細書
【特許文献２】特開２００３−０３７４５１号公報
【発明の開示】
【発明が解決しようとする課題】
【００１６】
しかしながら、特許文献２に開示されるようにドハティ増幅器の前段に歪補償回路を挿入する方法においては、ドハティ増幅器の歪が大きい場合、それに応じた逆特性を作ることが難しいという問題がある。さらに、歪補償回路を挿入すると、図８に示すように歪補償回路を挿入することにより利得が低下し、増幅効率が劣化するという課題が生じる。
【００１７】
本発明はかかる点に鑑みてなされたものであり、ドハティ増幅器において、高効率を確保しつつ、線形性を改善することができるドハティ増幅器を提供することを目的とする。
【課題を解決するための手段】
【００１８】
かかる課題を解決するため、本発明に係るドハティ増幅器は、ドハティ増幅部と、非線形増幅部と、入力無線信号を前記ドハティ増幅部と前記非線形増幅部とに分配する分配器と、前記ドハティ増幅部の出力信号と非線形増幅部の出力信号を合成する合成器と、を具備する構成を採る。
【００１９】
この構成によれば、ドハティ増幅部に並列に非線形増幅部が設けられて、無線信号は、ドハティ増幅部と非線形増幅部に分配されて、ドハティ増幅部によって高効率に増幅され、非線形増幅部によって、ドハティ増幅部から出力される無線信号と非線形増幅部から出力される無線信号との合成信号の入出力特性が線形性を保つように、ドハティ増幅部が非線形動作する領域で、その非線形性を補充して増幅することができるため、無線信号を線形増幅することができるようになる。
【発明の効果】
【００２０】
本発明によれば、高効率を確保しつつ、線形性を改善することができるドハティ増幅器を提供することができる。
【発明を実施するための最良の形態】
【００２１】
本発明の特徴は、ドハティ増幅器に非線形増幅器を並列接続する点である。以下、本発明の実施の形態について、図面を参照しながら説明する。
【００２２】
図１に、本発明の実施の形態に係るドハティ増幅器の要部構成を示す。図１に示すドハティ増幅器１００は、入力端子１１０と、分配器１２０と、ドハティ増幅部１３０と、非線形増幅部１４０と、インピーダンス変換器１５０と、合成器１６０と、出力端子１７０とを備えている。
【００２３】
ドハティ増幅部１３０は、キャリア増幅器１３１と、整合回路１３２と、インピーダンス変換器１３３と、位相調整器１３４と、ピーク増幅器１３５と、整合回路１３６と、合成器１３７とを備え、非線形増幅部１４０は、位相調整器１４１と、振幅調整器１４２と、非線形増幅器１４３とを備え、同図に示すように、非線形増幅部１４０は、ドハティ増幅部に並列に接続されている。
【００２４】
分配器１２０は、入力端子１１０から出力されるマイクロ波のＲＦ（Radio Frequency）信号を、３つの経路に分配し、ＲＦ信号をキャリア増幅器１３１、位相調整器１３４、位相調整器１４１へ出力する。
【００２５】
キャリア増幅器１３１は、ＲＦ信号の電力レベルを、その大きさに関わらず増幅し、増幅したＲＦ信号を整合回路１３２へ出力する。
【００２６】
整合回路１３２は、キャリア増幅器１３１の出力側に接続され、増幅されたＲＦ信号に対し負荷インピーダンスＲＬとの整合を行う。
【００２７】
インピーダンス変換器１３３は、キャリア増幅器１３１の出力側に接続された整合回路１３２の後段に設けられ、合成後のＲＦ信号に対しインピーダンス変換を行い、インピーダンス変換後のＲＦ信号を合成器１３７へ出力する。インピーダンス変換器１３３は、負荷インピーダンスと同様にインピーダンスＲＬを有している。
【００２８】
位相調整器１３４は、合成器１３７における合成後の出力電力が最大となるように分配されたＲＦ信号の位相を調整し、位相調整後のＲＦ信号をピーク増幅器１３５へ出力する。
【００２９】
ピーク増幅器１３５は、ＲＦ信号の電力レベルが所定の閾値以上の場合、ＲＦ信号の電力レベルを増幅し、増幅後のＲＦ信号を整合回路１３６へ出力する。
【００３０】
整合回路１３６は、ＲＦ信号に対し負荷インピーダンスＲＬとの整合を行う。
【００３１】
合成器１３７は、キャリア増幅器１３１によって増幅されたＲＦ信号とピーク増幅器１３５によって増幅されたＲＦ信号とを合成し、合成後のＲＦ信号をインピーダンス変換器１５０へ出力する。
【００３２】
インピーダンス変換器１５０は、λ／４のマイクロストリップライン又は同等の集合ネットワークを用いて、合成後のＲＦ信号に対しインピーダンス変換を行い、インピーダンス変換後のＲＦ信号を合成器１６０へ出力する。
【００３３】
なお、インピーダンス変換器１３３、１５０は、コンデンサやコイルなどによって構成してもよいが、特に、λ／４のマイクロストリップラインを使うと電力ロスが少なく大電力を通電することができる。このようなマイクロストリップラインは、マイクロ波集積回路（ＭＩＣ：Microwave Integrated Circuit）に使用される線路であって、導体基板上に低損失の誘電体をおき、その上に狭い幅の導体（ストリップ導体）を貼り付けた構成になっている。その他にも導体基板で誘電体を挟んで、その中にストリップと呼ばれる導体を埋め込んだ構造のものもある。このようなマイクロストリップラインは、小型・軽量の利点があると共に、回路的には構造の形状加工を工夫することによってマイクロ波帯でＬやＣの形成が容易であるなどの利点があり、任意のインピーダンスを容易に形成することができる。
【００３４】
なお、マイクロストリップラインの長さをλ／４にすることによって、分布定数回路のスミス図において特性インピーダンスが１８０度の位置関係となるので、特性インピーダンスが短絡と開放（あるいはインピーダンスＺとその逆数Ｙ）というように、正反対の特性へ変更することができる。そのため、マイクロ波の伝送回路では、インピーダンス変換器としてλ／４のマイクロストリップラインが好んで使用されている。
【００３５】
また、マイクロストリップラインは、ストリップ線の導体幅、誘電体の厚さ、及び誘電率によって、特性インピーダンスをかなり容易に変化させることができる。能動素子（または、能動回路）は、動作周波数、及び誘導性や容量性の負荷特性によって回路特性が大きく影響を受けるので出力インピーダンスの整合は極めて重要である。したがって、能動回路の出力端にマイクロストリップラインを接続することにより、比較的自由にインピーダンスを制御することができ、全体として伝送効率の向上につながる。
【００３６】
位相調整器１４１は、分配されたＲＦ信号の位相を調整し、位相調整後のＲＦ信号を振幅調整器１４２へ出力する。
【００３７】
振幅調整器１４２は、ＲＦ信号の振幅を調整して、振幅調整後のＲＦ信号を非線形増幅器１４３へ出力する。
【００３８】
非線形増幅器１４３は、ＲＦ信号の電力レベルが所定の閾値以上の場合に、ＲＦ信号の電力レベルを増幅して合成器１６０へ出力する。ここで、非線形増幅器１４３は、ドハティ増幅部１３０のピーク増幅器１３５と同程度の特性を有し、図２（ｂ）に実線（Ｓ１２）で示すように、入出力特性がドハティ増幅部１３０と逆特性となるようにバイアス調整されたものである。なお、図２（ａ）の実線（Ｓ１１）は、ドハティ増幅部１３０の入出力特性を示し、図２（ｃ）は、合成後の入出力特性を示す。
【００３９】
具体的には、非線形増幅器１４３を構成するトランジスタのベース−エミッタ間に逆バイアスをかけ、コレクタ電流の流れる期間を調整する。このようにすることで、非線形増幅器１４３は、ピーク増幅器１３５と同様に、ＲＦ信号の電力レベルが小さい場合にはオフ状態となって、増幅動作せず、ＲＦ信号の電力レベルが所定の閾値以上の場合にだけ、非線形増幅動作する。このようにすることにより、非線形増幅器１４３の消費電力を小さくして、高効率を維持することができるようになる。また、トランジスタに接続する負荷抵抗やコレクタ抵抗の値を適切に調整することにより、入出力特性の傾きを制御して、非線形増幅器１４３の入出力特性が、ドハティ増幅部１３０の非線形特性と逆特性となるようにすることで、ドハティ増幅部１３０が非線形増幅する領域において、非線形増幅器１４３がその非線形性を補充して増幅するように動作するため、ドハティ増幅器１００全体として、ＲＦ信号を広い領域で線形増幅することができるようになる。
【００４０】
合成器１６０は、ドハティ増幅部１３０によって増幅されインピーダンス変換されたＲＦ信号と、非線形増幅器１４３によって増幅されたＲＦ信号とを合成し、出力端子１７０へ出力する。上述したように、位相調整器１４１および振幅調整器１４２によって、ＲＦ信号の位相および振幅を調整し、非線形増幅器１４３の入出力特性が、ドハティ増幅部１３０の非線形動作領域の特性と逆特性となるように非線形増幅器１４３のバイアスを調整することにより、図２（ｃ）に示すように、ドハティ増幅器１００は、高電力領域においても、線形増幅することができるようになる。
【００４１】
次いで、上記のように構成されたドハティ増幅器１００の動作について再度図２の入出力特性を用いながら説明する。
【００４２】
入力端子１１０から出力されるマイクロ波のＲＦ信号は、分配器１２０によって３つの経路に分配され、分配後のＲＦ信号はキャリア増幅器１３１、位相調整器１３４、および位相調整器１４１へ出力される。
【００４３】
そして、キャリア増幅器１３１によって、ＲＦ信号は電力レベルの大きさに関わらずその電力が増幅され、整合回路１３２およびインピーダンス変換器１３３を経由して、合成器１３７へ出力される。
【００４４】
一方、位相調整器１３４へ出力されたＲＦ信号は、位相調整器１３４によって、位相調整された後、ピーク増幅器１３５へ出力され、ピーク増幅器１３５によって、電力レベルが所定の閾値以上の場合に、電力レベルが増幅されて、整合回路１３６を経由して合成器１３７へ出力される。図２（ａ）に入出力特性を実線（Ｓ１１）で示す。同図に示されるように、ＲＦ信号の電力レベルが大きくなるに伴い、入出力特性が非線形となることがわかる。
【００４５】
そして、合成器１３７によって、キャリア増幅器１３１とピーク増幅器１３５の出力電力とが合成されて、合成後のＲＦ信号がインピーダンス変換器１５０へ出力される。
【００４６】
また、位相調整器１４１へ出力されたＲＦ信号は、位相調整器１４１および振幅調整器１４２によって、位相及び振幅が調整され、調整後のＲＦ信号は非線形増幅器１４３へ出力される。図２（ｂ）に非線形増幅部１４０の入出力特性を実線（Ｓ１２）で示す。同図に示されるように、非線形増幅部１４０では、非線形増幅器１４３はＣ級にバイアスされていて、さらに、ＲＦ信号の電力レベルが所定の閾値以上の場合、上述したドハティ増幅部１３０の入出力特性（図２（ａ）Ｓ１１）と逆特性となるように、非線形増幅器１４３を構成する負荷抵抗やコレクタ抵抗値、位相調整器１４１および振幅調整器１４２によって調整されている。
【００４７】
このようにすることにより、ドハティ増幅部１３０によって増幅された後、インピーダンス変換器１５０を経由したＲＦ信号と、非線形増幅部１４０によって増幅されたＲＦ信号とが、合成器１６０によって合成されることで、電力レベルが高い領域においても、ドハティ増幅器１００全体としては、ＲＦ信号を線形に増幅することができるようになる。図２（ｃ）に、合成器１６０によってドハティ増幅部１３０によって増幅されたＲＦ信号と非線形増幅部１４０によって増幅されたＲＦ信号との合成後の入出力特性（Ｓ１３）を示す。
【００４８】
すなわち、ドハティ増幅部１３０に並列に非線形増幅部１４０を設け、非線形増幅部１４０の電力レベルが高い領域の入出力特性が、ドハティ増幅部１３０の特性と逆特性となるように非線形増幅部１４０のバイアスや負荷抵抗、コレクタ抵抗等を調整し、ドハティ増幅部１３０の出力信号と非線形増幅部１４０の出力信号とを合成することで、電力レベルが高い領域においても、ドハティ増幅器１００を線形動作させることができるようになる。
【００４９】
以上のように、本実施の形態によれば、ドハティ増幅部１３０の非線形領域の特性と逆特性を有するようバイアス等を調整した非線形増幅部１４０を、ドハティ増幅部１３０に並列に接続し、ドハティ増幅部１３０の出力信号を非線形増幅部１４０の出力信号とを合成するようにしたので、ドハティ増幅部１３０単体のみでは非線形増幅されていた領域において、非線形増幅部１４０で線形性を補うように増幅することで、高い電力レベルにおいても、線形にＲＦ信号を増幅することができるようになる。また、非線形増幅部１４０は、Ｃ級にバイアスされているため、電力レベルが低い場合には動作せず、電力レベルが所定の閾値以上の場合にのみ動作するため、消費電力が少なく、高効率を維持できる。
【００５０】
本発明の第１の態様に係るドハティ増幅器は、ドハティ増幅部と、非線形増幅部と、入力無線信号を前記ドハティ増幅部と前記非線形増幅部とに分配する分配器と、前記ドハティ増幅部の出力信号と非線形増幅部の出力信号を合成する合成器と、を具備する構成を採る。
【００５１】
この構成によれば、ドハティ増幅部に並列に非線形増幅部が設けられて、無線信号は、ドハティ増幅部と非線形増幅部に分配されて、ドハティ増幅部によって高効率に増幅され、非線形増幅部によって、ドハティ増幅部から出力される無線信号と非線形増幅部から出力される無線信号との合成信号の入出力特性が線形性を保つように、ドハティ増幅部が非線形動作する領域でその非線形性を補充して増幅することができるため、無線信号を線形増幅することができるようになる。
【００５２】
本発明の第２の態様に係るドハティ増幅器は、上記第１の態様において、前記非線形増幅部は、前記ドハティ増幅部に設けられたピーク増幅器の特性を補償する特性とされている構成を採る。
【００５３】
この構成によれば、非線形増幅部に、ドハティ増幅部を構成するピーク増幅器と同様、Ｃ級にバイアスされたものを用いることができ、非線形増幅部は電力レベルが所定の閾値以上の場合にだけ動作するようになって、電力レベルが小さい場合には消費される電力が小さくなって、高効率を実現することができる。
【００５４】
本発明の第３の態様に係るドハティ増幅器は、上記第２の態様において、前記非線形増幅部は、前記合成器から出力される合成後の無線信号が線形増幅特性となるよう、前記ドハティ増幅部に設けられたピーク増幅器の特性を補償する構成を採る。
【００５５】
この構成によれば、ドハティ増幅部から出力される無線信号と非線形増幅部から出力される無線信号との合成信号の入出力特性が線形性を保ち、無線信号を線形増幅することができる。
【００５６】
本発明の第４の態様に係るドハティ増幅器は、上記第１の態様において、前記分配器と前記非線形増幅部との間に設けられた位相調整器を具備する構成を採る。
【００５７】
この構成によれば、分配器と非線形増幅部との間に設けられた位相調整器によって、非線形増幅部の入出力特性を、ドハティ増幅部の入出力特性に影響を与えず調整することができるため、比較的容易にドハティ増幅器の入出力特性を調整することができる。
【００５８】
本発明の第５の態様に係るドハティ増幅器は、上記第１の態様において、前記分配器と前記非線形増幅部との間に設けられた振幅調整器を具備する構成を採る。
【００５９】
この構成によれば、分配器と非線形増幅器との間に設けられた振幅調整器によって、非線形増幅部の入出力特性を、ドハティ増幅部の入出力特性に影響を与えず調整することができるため、比較的容易にドハティ増幅器の入出力特性を調整することができる。
【００６０】
本発明の第６の態様に係るドハティ増幅器は、上記第１の態様において、前記分配器と前記合成器との間に設けられたインピーダンス変換器を具備する構成を採る。
【００６１】
この構成によれば、分配器と合成器との間に設けられたインピーダンス変換器によって、ドハティ増幅部の見かけの負荷インピーダンスが変化して、ドハティ増幅部全体をより高効率化することができる。
【産業上の利用可能性】
【００６２】
本発明の高効率ドハティ増幅器は、高効率を確保しつつ、線形性を改善することができ、例えば、低消費電力化が要求される通信機器に用いられる増幅器などに有用である。
【図面の簡単な説明】
【００６３】
【図１】本発明の実施の形態に係る高効率ドハティ増幅器の要部構成を示すブロック図
【図２】（ａ）上記実施の形態に係るドハティ増幅部の入出力特性を示す図（ｂ）上記実施の形態に係る非線形増幅部の入出力特性を示す図（ｃ）上記実施の形態に係る高効率ドハティ増幅器の入出力特性を示す図
【図３】従来のドハティ増幅器の要部構成を示すブロック図
【図４】従来のドハティ増幅器の入出力特性を説明するための図
【図５】従来のドハティ増幅器の効率特性を説明するための図
【図６】従来のドハティ増幅器の入出力特性を説明するための図
【図７】従来のドハティ増幅器の効率特性を説明するための図
【図８】従来のドハティ増幅器の入出力特性を説明するための図
【符号の説明】
【００６４】
１１０  入力端子
１２０  分配器
１３０  ドハティ増幅部
１３１  キャリア増幅器
１３２  整合回路
１３３  インピーダンス変換器
１３４  位相調整器
１３５  ピーク増幅器
１３６  整合回路
１３７  合成器
１４０  非線形増幅部
１４１  位相調整器
１４２  振幅調整器
１４３  非線形増幅器  
１５０  インピーダンス変換器
１６０  合成器
１７０  出力端子
【図１】
2007282122.tif 000003
【図２】
2007282122.tif 000004
【図３】
2007282122.tif 000005
【図４】
2007282122.tif 000006
【図５】
2007282122.tif 000007
【図６】
2007282122.tif 000008
【図７】
2007282122.tif 000009
【図８】
2007282122.tif 000010